(57)【要約】【課題】軒先部分の荷重をしっかりと支えることができ、しかも、それをコスト的に有利に実現することができる屋根の隅棟部における軒先構造を提供する。【解決手段】隅合掌１の軒側の端部を接合した柱２に、軒先フレーム５が軒先側に張り出すように片持ち状態に取り付けられ、隅合掌１に沿う方向に向けられて柱２から軒先側に張り出す部分８ａを備えた第１垂木８の該張り出し部分８ａと、柱２から該張り出し部分８ａにわたる領域範囲において軒桁３と直交する方向に向けられて軒先側に延ばされた第２垂木９，９とが、前記軒先フレーム５に支承されている。【選択図】      図１
2009062783.tif 000002
【特許請求の範囲】
【請求項１】
隅合掌の軒側の端部を接合した柱に、軒先フレームが軒先側に張り出すように片持ち状態に取り付けられ、
隅合掌に沿う方向に向けられて柱から軒先側に張り出す部分を備えた第１垂木の該張り出し部分と、柱から該張り出し部分にわたる領域範囲において軒桁と直交する方向に向けられて軒先側に延ばされた第２垂木とが、前記軒先フレームに支承されていることを特徴とする屋根の隅棟部における軒先構造。
【請求項２】
前記隅合掌に沿う方向に向けられて柱から軒先側に張り出す部分を備えた第１垂木と、柱から該張り出し部分にわたる領域範囲において軒桁と直交する方向に向けられて軒先側に延ばされた第２垂木とが、野地板の下面に予め取り付けられた屋根パネルの垂木からなっている請求項１に記載の屋根の隅棟部における軒先構造。
【請求項３】
前記軒先フレームが、柱に接合される接合部と、該接合部に接合され、該接合部から隅合掌の延びる方向に軒先側に延ばされる第１垂木支承部と、該接合部に接合され、該接合部から軒桁と直交する方向に軒先側に延ばされる第２垂木支承部と、前記軒桁の延びる方向に向けられ、前記接合部から軒先側に離間した位置で、第１，第２の垂木支承部を連結するつなぎ材とを少なくとも備え、前記第２垂木支承部がウェブとフランジを備えた鋼材からなり、第１垂木支承部が幅方向を上下方向に向けた鋼製のフラットプレートからなっている請求項１又は２に記載の屋根の隅棟部における軒先構造。
【請求項４】
前記軒先フレームが隅合掌を挟む両側に備えられ、一方の軒先フレームの第１垂木支承部ともう一方の軒先フレームの第１垂木支承部とが、柱から軒先側に離間した位置において結合金物で結合されている請求項３に記載の屋根の隅棟部における軒先構造。
【発明の詳細な説明】
【技術分野】
【０００１】
本発明は、屋根の隅棟部における軒先構造に関する。
【背景技術】
【０００２】
屋根の隅棟部における軒先構造として、図１１（イ）（ロ）に示すように、隅合掌５１に沿う方向に向けられて柱５２から軒先側に張り出す部分５３ａを備えた第１垂木５３と、軒桁５８と直交する方向に向けられて軒先側に延ばされた第２，第３垂木５４…，５５…とが、野地板５６の下面側に予め取り付けた屋根パネル５７を用いて構成されたものがある。
【０００３】
この屋根パネル５７では、
・  隅合掌５１に沿う第１垂木５３の軒先側張り出し部分５３ａと、
・  軒桁５８と直交する方向に向けられて軒先側に延ばされた第２，第３の垂木５４…，５５…のうちの、柱５２から前記側張り出し部分５３ａにわたる領域範囲において軒先側に延ばされた第２垂木５４…と
が、軒先部分の荷重をしっかりと支えることができるように、
角形鋼管からなるフレーム５９が第１垂木５３に沿うように組み付けられ、該フレーム５９と該第１垂木５３とが軒先側張り出し部分５３ａの領域を含んで接合一体化され、張り出し部分５３ａが軒先部分の荷重をしっかりと支えることができるようになされている。また、第２垂木５４…と前記フレーム５９とは、フレーム５９に設けられた接続用筒体５９ａ…に該第２垂木５４…の基端部を差し込んだ状態にされて接合一体化され、該第２垂木５４…も片持ち状態で軒先部分の荷重をしっかりと支えることができる構造にされている。
【０００４】
なお、フレーム５９として角形鋼管を用いているのは、第２垂木５４…が軒先部分の荷重を支えた際に、フレーム５９にねじれを生じてしまうのを防ぐためである。
【０００５】
また、図１２に示すように、本来なら軒桁５８と直交する方向に向けられる垂木６０…のうちの一部の垂木６０ａ…を斜めに向けることで、該垂木６０ａ…を２点支持構造にして軒先部分の荷重を支えることができるようにしたものもある。
【特許文献１】特開平９−１７０２８５号公報
【発明の開示】
【発明が解決しようとする課題】
【０００６】
しかしながら、上記のような構造では、軒先部分の荷重をしっかりと支えることができるようにするため、フレーム５９が柱５２から軒先側に突出するように備えられているだけでなく、柱５２から隅合掌５１の方にも隅合掌５１に沿うように長く延ばされており、そのため、フレーム５９の取扱いが厄介であるという問題がある。
【０００７】
また、第２垂木５４…と前記フレーム５９とは、該第２垂木５４…がしっかりとした片持ち状態を形成することができるように、フレーム５９には接続用筒体５９ａ…が設けられた構造となっていて、フレーム５９もねじれを生じないよう角形鋼管からなっていることにより、フレーム５９のコストが高くついてしまうという問題がある。
【０００８】
更に、上記のようなフレーム５９を屋根パネル５７に組み込んだ構造では、屋根パネルの木工において鋼製フレームも扱わなければならず、厄介であるという問題もある。
【０００９】
本発明は、上記のような問題点に鑑み、軒先部分の荷重をしっかりと支えることができ、しかも、それをコスト的に有利に実現することができる屋根の隅棟部における軒先構造を提供することを課題とする。
【課題を解決するための手段】
【００１０】
上記の課題は、隅合掌の軒側の端部を接合した柱に、軒先フレームが軒先側に張り出すように片持ち状態に取り付けられ、
隅合掌に沿う方向に向けられて柱から軒先側に張り出す部分を備えた第１垂木の該張り出し部分と、柱から該張り出し部分にわたる領域範囲において軒桁と直交する方向に向けられて軒先側に延ばされた第２垂木とが、前記軒先フレームに支承されていることを特徴とする屋根の隅棟部における軒先構造によって解決される（第１発明）。
【００１１】
この構造では、柱に片持ち状態に取り付けられた軒先フレームによって、隅合掌に沿う方向に向けられて柱から軒先側に張り出す部分を備えた第１垂木の該張り出し部分と、柱から該張り出し部分にわたる領域範囲において軒桁と直交する方向に向けられて軒先側に延ばされた第２垂木とを支承するようにしているので、これらの垂木に、軒先部分の荷重をしっかりと支えさせることができる。
【００１２】
しかも、軒先フレームは、垂木を支承することで、該垂木に軒先部分の荷重を支えさせるものであるので、ねじれの問題もなく、軒先フレームと垂木との接合も簡易なものにすることができて、コスト的な有利性を発揮することができる。
【００１３】
加えて、軒先フレームは、軒先側に張り出すように柱に片持ち状態に取り付けられたものであるから、短尺で、取扱いが比較的容易であり、現場での取付けの施工を容易に行うことができる。
【００１４】
第１発明において、前記隅合掌に沿う方向に向けられて柱から軒先側に張り出す部分を備えた第１垂木と、柱から該張り出し部分にわたる領域範囲において軒桁と直交する方向に向けられて軒先側に延ばされた第２垂木とが、野地板の下面に予め取り付けられた屋根パネルの垂木からなっているとよい（第２発明）。
【００１５】
この場合は、上記の軒先フレームとの組み合わせにおいて、屋根パネルから従来のようなフレームを排除することができて、屋根パネルを木工のみで容易に製作することができる。
【００１６】
第１，第２発明において、前記軒先フレームが、柱に接合される接合部と、該接合部に接合され、該接合部から隅合掌の延びる方向に軒先側に延ばされる第１垂木支承部と、該接合部に接合され、該接合部から軒桁と直交する方向に軒先側に延ばされる第２垂木支承部と、前記軒桁の延びる方向に向けられ、前記接合部から軒先側に離間した位置で、第１，第２の垂木支承部を連結するつなぎ材とを少なくとも備え、前記第２垂木支承部がウェブとフランジを備えた鋼材からなり、第１垂木支承部が幅方向を上下方向に向けた鋼製のフラットプレートからなっているとよい（第３発明）。
【００１７】
この場合は、第２垂木支承部をウェブとフランジを備えた鋼材で構成していることにより、第１垂木支承部がフラットプレートであっても、第１，第２の垂木支承部とがつなぎ材で連結されていることにより、軒先部分の荷重を支える充分な強度をもたせることができ、しかも、フラットプレートの使用で、垂木をしっかりと支承することができると共に、軒先フレームのコストを低く抑えることができる。
【００１８】
第３発明において、前記軒先フレームが隅合掌を挟む両側に備えられ、一方の軒先フレームの第１垂木支承部ともう一方の軒先フレームの第１垂木支承部とが、柱から軒先側に離間した位置において結合金物で結合されているとよい（第４発明）。
【００１９】
この場合は、第１垂木支承部がフラットプレートからなっていても、第１，第２の垂木支承部とがつなぎ材で連結されていること、及び、第１垂木支承部同士が結合金物で結合されていることにより、軒先部分の荷重を支える充分な強度をもたせることができ、しかも、フラットプレートの使用で、軒先フレームのコストを低く抑えることができる。
【発明の効果】
【００２０】
本発明は、以上のとおりのものであるから、軒先部分の荷重をしっかりと支えることができ、しかも、それをコスト的に有利に実現することができる。
【発明を実施するための最良の形態】
【００２１】
次に、本発明の実施最良形態を図面に基づいて説明する。
【００２２】
図１〜図８に示す実施形態の屋根の隅棟部における軒先構造において、１は隅合掌、２は柱、３，４は軒桁、５は軒先フレーム、６は屋根パネルである。
【００２３】
屋根パネル６は、三角形状の野地板７の下面側に、垂木８，９…，１０…が備えられたもので、垂木として、図４（ロ）に示すように、
・  隅合掌１に沿って延び、柱２から軒先側に張り出す部分８ａを備えた第１垂木８と、
・  柱２から該張り出し部分８ａにわたる領域範囲において、軒桁３と直交する方向に向けられて軒先側に延ばされた第２垂木９…と、
・  軒桁と直交する方向に向けられ、軒桁３と交差して、軒先側に延ばされた第３垂木１０…と
が備えられ、該屋根パネル６からは、従来のような角形鋼管フレーム５９は排除され、屋根パネル６を木工のみによって製作することができるようになされている。
【００２４】
そして、軒先フレーム５は、隅合掌１の軒側の端部を接合した柱２に、軒先側に張り出すように片持ち状態に取り付けられて、上記の屋根パネル６における第１垂木８の張り出し部分８ａと、第２垂木９…とを支承するもので、図３（イ）〜（ハ）に示すように、
・  柱２に接合される接合部としての接合板１１と、
・  該接合板１１に接合され、該接合板１１から隅合掌１の延びる方向に軒先側に延ばされる第１垂木支承部１２と、
・  該接合板１１に接合され、該接合板１１から軒桁３と直交する方向に軒先側に延ばされる第２垂木支承部１３と、
・  前記軒桁３の延びる方向に向けられ、前記接合板１１から軒先側に離間した位置で、第１，第２の垂木支承部１２，１３を連結するつなぎ材１４と、
・  軒桁３と直交する方向に向けられて、つなぎ材１４と第１垂木支承部１２とをそれらの長手方向の中間部でつなぐ第３垂木支承部１５と、
・  軒桁３と平行に向けられて、第１垂木支承部１２と第２垂木支承部１３とをそれらの長手方向の中間部でつなぐ補助材１６と
を備え、
第２垂木支承部１３は、ウェブとフランジを備えた溝形の鋼材からなり、第１垂木支承部１２、つなぎ材１４、第３垂木支承部１５及び補助材１６は、幅方向を上下方向に向けた鋼製のフラットプレートからなっている。
【００２５】
施工は、図３（ニ）及び図４（イ）に示すように、この軒先フレーム５を、隅合掌１を挟む両側に配備し、それらの接合板１１を柱２にボルトで接合し、一方の軒先フレーム５の第１垂木支承部１２ともう一方の軒先フレーム５の第１垂木支承部１２とを、柱２から軒先側に離間した位置において結合金物１７，１７によって結合する。
【００２６】
しかる後、図６及び図７に示すように、屋根パネル６を図示しないクレーンで吊り、屋根パネル６の
・  第１垂木８を隅合掌１に支承させ、
・  第１垂木８の軒先側に張り出す部分８ａを軒先フレーム５の第１垂木支承部１２に支承させ、
・  第２垂木９，９を軒先フレーム５の第２垂木支承部１３と第３垂木支承部１５に支承させ、
・  第３垂木１０…の長手方向の中間部を軒桁３に沿って設けた母屋１８に支承させた状態にする。
【００２７】
最後に、屋根パネル６を、図８（イ）に示すように、軒桁３の母屋１８に対して鉤形の第１金物１９によって浮き上がり阻止とくだり阻止の状態となるように係合保持すると共に、図８（ロ）に示すように、隅合掌１の側においては該隅合掌１に対して鉤形の第２金物２０によって浮き上がり阻止とのぼり阻止の状態となるように係合保持し、動き阻止状態に固定する。なお、第１金物１９は屋根パネル６に工場などで予め取り付けられ、第２金物２０は現場での大工工事で取り付けられる。
【００２８】
また、軒先フレーム５の側においては、図８（ハ）及び図１（ロ）に示すように、つなぎ材１４、第２垂木支承部１３及び補助材１６に予め設けられたプレート２１…をビスで第２垂木９，９の側面部に結合させて、第２垂木９，９を固定する。
【００２９】
こうして形成された屋根の隅棟部における軒先構造によれば、柱２に片持ち状態に取り付けられた軒先フレーム５の第１〜第３の各垂木支承部１２，１３，１５によって、隅合掌１に沿う方向に向けられた第１垂木８の張り出す部分８ａと、柱２から該張り出し部分８ａにわたる領域範囲において軒桁３と直交する方向に向けられて軒先側に延ばされた第２垂木９，９とが支承されているので、これらの垂木８ａ，９，９に、軒先部分の荷重をしっかりと支えさせることができる。従ってまた、図１（ロ）に示すように、破風下地１４の取り付け状態も安定したしっかりとしたものにすることができる。
【００３０】
しかも、軒先フレーム５は、第１，第２の垂木８ａ，９，９を支承することで、これら第１，第２の垂木８ａ，９，９に軒先部分の荷重を支えさせるものであるので、ねじれの問題もなく、軒先フレーム５と垂木との接合をプレート２１による簡易なものにすることができて、コスト的な有利性を発揮することができる。
【００３１】
加えて、軒先フレーム５は、軒先側に張り出すように柱２に片持ち状態に取り付けられたものであるから、短尺で、取扱いが比較的容易であり、現場での取付けの施工も容易に行っていくことができる。
【００３２】
また、軒先フレーム５については、第２垂木支承部１３をウェブとフランジを備えた鋼材で構成していることにより、第１垂木支承部１２等がフラットプレートであっても、第１，第２の垂木支承部１２，１３とがつなぎ材１４で連結されていることにより、軒先部分の荷重を支える充分な強度をもたせることができ、しかも、フラットプレートの使用で、垂木８ａ，９をしっかりと支承することができると共に、軒先フレーム５のコストを低く抑えることができる。なお、第１，第２発明では、フラットプレートに代えて、リップ付き溝形鋼や溝形鋼などが用いられてもよい。
【００３３】
特に、本実施形態では、軒先フレーム５が隅合掌１を挟む両側に備えられ、一方の軒先フレーム５の第１垂木支承部１２ともう一方の軒先フレーム５の第１垂木支承部１２とが、柱２から軒先側に離間した位置において結合金物１７，１７によって結合されているので、第１垂木支承部１２がフラットプレートからなっていても、第１，第２の垂木支承部１２，１３とがつなぎ材１４で連結されていること、及び、第１垂木支承部１２，１２同士が上記のように結合されていることにより、軒先部分の荷重を支える充分な強度を軒先フレーム５，５にもたせることができる。
【００３４】
また、上記の実施形態では、鉤形の第１，第２金物１９，２０、そして、プレート２１によって屋根パネル６の固定を行うようにしているので、製作精度や施工精度、垂木８，９…，１０…や野地板７の反りによる影響を排除して、施工を容易に行っていくことができる。
【００３５】
図９に示す第２実施形態の構造は、隅合掌１を挟む一方の側に下屋２２が備えられている場合のもので、隅合掌１を挟むもう一方の側においてのみ柱２に軒先フレーム５が取り付けられて、その側に同様の屋根パネル６が設置されたものである。下屋２２側では、屋根の施工を屋根パネル２３を用いて行うことができる。
【００３６】
図１０に示す第３実施形態の構造は、隅合掌１を挟む一方の側の軒先の出が、一方の側の軒先の出よりも小さく設計されており、それに応じて、一方の側の軒先フレーム５ともう一方の側の軒先フレーム５との形態を異ならせたものである。
【００３７】
以上に、本発明の実施形態を示したが、本発明はこれに限られるものではなく、発明思想を逸脱しない範囲で各種の変更が可能である。例えば、上記の実施形態では、野地板７の下面側に予め垂木８，９…，１０…が取り付けられた屋根パネル６を用いて構成した構造を示しているが、第１発明では、屋根パネル６によることなく、現場で垂木８，９…，１０…を取り付けた後、野地板７を取り付ける施工方法で構成されたものであってもよい。
【００３８】
また、軒先フレーム５の具体的形態についても特に制限はなく、第１，第２発明では、隅合掌の軒側の端部を接合した柱に、軒先側に張り出すように片持ち状態に取り付けられて、隅合掌に沿う方向に向けられて柱から軒先側に張り出す部分を備えた垂木の該張り出し部分と、柱から該張り出し部分にわたる領域範囲において軒桁と直交する方向に向けられて軒先側に延ばされた垂木とを支承するようになされたものであればよい。
【図面の簡単な説明】
【００３９】
【図１】図（イ）は屋根全体の平面図、図（ロ）は図（イ）のＡ部拡大平面図である。
【図２】図１（イ）のＢ部拡大平面図である。
【図３】図（イ）は軒先フレームの平面図、図（ロ）は屋根パネルにおける軒先フレーム部分の平面図、図（ハ）は軒先フレームと屋根パネルとを重ね合わせた状態の平面図、図（ニ）は図４（イ）と共に柱への軒先フレームの取付け方法を順次に示す平面図である。
【図４】図（イ）は図３（ニ）と共に柱への軒先フレームの取付け方法を順次に示す平面図、図（ロ）は隅合掌、柱、軒桁、屋根パネルの配置関係を示す平面図である。
【図５】図６及び図７と共に、屋根パネルの施工方法を順次に示す平面図である。
【図６】図５及び図７と共に、屋根パネルの施工方法を順次に示す平面図である。
【図７】図５及び図６と共に、屋根パネルの施工方法を順次に示す平面図である。
【図８】図（イ）は図７のＣ部の連結構造を示す断面正面図、図（ロ）は図７のＤ部のの連結構造を示す断面正面図、図（ハ）は図７Ｅ部の連結構造を示す断面正面図である。
【図９】図（イ）及び図（ロ）は第２実施形態の構造を示す平面図である。
【図１０】図（イ）及び図（ロ）は第３実施形態の構造を示す平面図である。
【図１１】図（イ）及び図（ロ）は背景技術にかかる構造を示す平面図である。
【図１２】図（イ）及び図（ロ）は背景技術にかかる他の構造を示す平面図である。
【符号の説明】
【００４０】
１…隅合掌
２…柱
３…軒桁
５…軒先フレーム
６…屋根パネル
７…野地板
８…第１垂木
８ａ…張り出し部分
９…第２垂木
１０…第３垂木
１１…接合板（接合部）
１２…第１垂木支承部
１３…第２垂木支承部
１４…つなぎ材
１７…結合金物
【図１】
2009062783.tif 000003
【図２】
2009062783.tif 000004
【図３】
2009062783.tif 000005
【図４】
2009062783.tif 000006
【図５】
2009062783.tif 000007
【図６】
2009062783.tif 000008
【図７】
2009062783.tif 000009
【図８】
2009062783.tif 000010
【図９】
2009062783.tif 000011
【図１０】
2009062783.tif 000012
【図１１】
2009062783.tif 000013
【図１２】
2009062783.tif 000014